(57)【要約】【課題】構築チャンバを開く必要なく、レーザビームのパワーを容易かつ高速に測定及び校正し、かつ走査手段を校正することができる装置及び方法を提供する。【解決手段】  本発明は、特に選択的レーザ溶融のような付加製造技術の用途のための、３次元物品の積層製造のための装置に関する。この装置は、内部で製品が構築される構築チャンバ、及び構築チャンバの外側に伸長する光学システムを有する。光学システムは、エネルギービームを生成するためのビーム源を少なくとも有し、このビームを移動させるための対応する走査手段を備える。本明細書において、ビームが選択された位置に当たるようにビームを移動させる走査手段を制御する制御ユニットが提供される。構築チャンバの壁は、ビームが窓を通過して構築チャンバに入るようにビームに対して透明な閉鎖窓を特徴とする。【選択図】なし【特許請求の範囲】
【請求項１】
３次元物品（４）の積層製造のための装置であって、前記物品（４）が内部で構築される構築チャンバ（１）、及び該構築チャンバ（１）に関して外部にある光学システム（２）を有し、該光学システム（２）は、エネルギービーム（６）を生成するための少なくとも１つのビーム源（９）及びこのビーム（６）を移動させるための対応する走査手段（１０）を備え、
前記ビーム（６）を移動させて選択位置に当てるために前記走査手段（１０）を制御する制御ユニット（１２）が提供され、
前記構築チャンバ（１）の壁が、前記ビーム（６）が窓（１１）を通過し前記構築チャンバ（１）に入るように前記ビーム（６）に対して透明である窓（１１）を特徴とし、
前記装置が、前記ビーム源（９）及び／又は前記走査手段（１０）のための校正デバイス（３）を備え、少なくとも前記走査手段（１０）が、前記ビーム（６）が前記窓（１１）を通過し前記構築チャンバ（１）に入ることができる製造位置と、前記ビーム（６）が校正デバイス（３）に当たりしたがってそれと組み合わせて作用することができる構成位置との間で前記構築チャンバ（１）に関して移動可能である、
装置。
【請求項２】
前記製造位置と前記校正位置との間で前記走査手段（１０）の移動を可能とする前記走査手段（１０）のガイド手段（１４）を備えることを特徴とする、請求項１に記載の装置。
【請求項３】
前記ビーム（９）及び前記走査手段（１０）が、同じ可動式ベース（１３）に取り付けられることを特徴とする、請求項１又は２に記載の装置。
【請求項４】
前記校正デバイス（３）が、前記ビーム（６）により実際に供給されるパワーを測定するためのパワーセンサを少なくとも備えることを特徴とする、請求項１から３のいずれか一項に記載の装置。
【請求項５】
前記ビーム（６）の実際のパワーを、該ビーム（６）の設定された又は所望のパワーと比較するために調整手段が提供され、該調整手段は、前記供給された実際のパワーを前記所望のパワーに変えることができることを特徴とする、請求項４に記載の装置。
【請求項６】
前記校正デバイス（３）が、前記ビーム（６）の位置を測定するための位置センサを備えることを特徴とする、請求項１から５のいずれか一項に記載の装置。
【請求項７】
前記校正デバイス（３）が、異なる位置で前記ビーム（６）の位置を測定するために、少なくとも２つ及び好ましくは少なくとも３つの位置センサ（１５）を備えることを特徴とする、請求項６に記載の装置。
【請求項８】
前記位置センサ（１５）が、前記校正デバイス（３）の２次元平面（１６）上における前記ビーム（６）の入射点の位置の測定を可能とすることを特徴とする、請求項５又は６に記載の装置。
【請求項９】
前記入射点の実際に測定された位置と、前記制御ユニット（１２）により選択又は設定された入射点の位置との間の差異を特定するための手段が提供されることを特徴とする、請求項８に記載の装置。
【請求項１０】
前記手段が、前記選択された位置が前記入射点の実際の位置に一致するように前記制御ユニット（１２）を調整することができることを特徴とする、請求項９に記載の装置。
【請求項１１】
前記構築チャンバ（１）が、密閉シールできることを特徴とする、請求項１から１０のいずれか一項に記載の装置。
【請求項１２】
前記ビーム源（９）がレーザ源から構成され、前記ビーム（６）がレーザビームを含むことを特徴とする、請求項１から１１のいずれか一項に記載の装置。
【請求項１３】
光学システム（２）を有する付加製造技術を用いた構築チャンバ（１）中での３次元物品（４）の製造、及び前記光学システム（２）の校正のための方法であって、
前記光学システム（２）が、コントローラを備え、エネルギービーム（６）の入射点を前記構築チャンバ（１）中に移動させるための対応する走査手段（１０）を有する前記ビーム（６）を生成するためのビーム源（９）を少なくとも有し、
前記走査手段（１０）によって、前記ビーム（６）が前記構築チャンバ（１）の壁に提供された窓（１１）を通過して前記構築チャンバ（１）に入るように、前記光学システム（２）が製造位置に配置され、前記ビーム（６）の移動中に、前記構築チャンバ（１）中の粉末を前記物品（４）の連続的に接着した層に変えることにより前記物品（４）が製造され、
前記光学システム（２）の校正のために、少なくとも前記走査手段（１０）を、前記製造位置から校正位置へ前記構築チャンバ（１）に関して移動させ、前記光学システム（２）の少なくとも１つのパラメータの実効値を測定し、該実際に測定された値を前記パラメータについて選択又は設定された数値と比較し、
前記走査手段（１０）が、その後前記製造位置に戻され、前記パラメータの実際に測定された値が選択又は設定された数値に関して許容誤差よりも大きい差異を有する場合、この許容誤差内のパラメータの前記実効値が、このパラメータの前記選択又は設定された数値に一致するように、前記光学システム（２）を調整し、その後前記物品（４）が製造される、
方法。
【請求項１４】
前記構築チャンバ（１）中で製造圧力を維持しながら、前記物品（４）の製造が一時的に中断され、前記光学システム（２）が前記校正位置に移動され、
前記光学システム（２）が校正後に前記製造位置に戻ると前記物品（４）の製造が再開されることを特徴とする、請求項１３に記載の方法。
【請求項１５】
付加製造技術を用いて、構築チャンバ（１）中で３次元物品（４）を製造するための装置の光学システム（２）を校正するための方法であって、
前記光学システム（２）が、コントローラを備え、エネルギービーム（６）の入射点を前記構築チャンバ（１）中に移動させるための対応する走査手段（１０）を備える前記ビーム（６）を生成するためのビーム源（９）を少なくとも有し、
前記ビーム（６）の移動中に、前記構築チャンバ（１）中の粉末を前記物品（４）の連続的に接着した層に変えることにより前記物品（４）を製造することを可能とするため、前記走査手段（１０）によって、前記ビーム（６）が前記構築チャンバ（１）中の壁にある窓（１１）を通過して前記構築チャンバ（１）に入るように、前記光学システム（２）が製造位置に配置され、
前記光学システム（２）の校正のために、前記光学システム（２）の少なくとも前記走査手段（１０）を、前記製造位置から校正位置へ前記構築チャンバ（１）に関して移動させ、前記光学システム（２）の少なくとも１つのパラメータの実効値を測定し、該実際に測定された値を前記パラメータについて選択又は設定された数値と比較し、
前記走査手段（１０）が、その後前記製造位置に戻り、前記パラメータの実際に測定された値が選択又は設定された数値に関して許容誤差より大きい差異を有する場合、このパラメータの前記実効値が、このパラメータの前記選択又は設定された値に一致するように、前記光学システム（２）を調整する、
方法。
【請求項１６】
前記校正位置において、前記パラメータについて２次元平面（１６）上で前記ビーム（６）の入射点について位置が設定され、このパラメータの前記実際に測定された値が、前記ビーム（６）の実際の位置とその設定された位置との間の差異を特定することを特徴とする、請求項１３から１５のいずれか一項に記載の方法。
【請求項１７】
前記パラメータが前記ビーム（６）のパワーであり、このパラメータの前記実際に測定された値が、前記ビーム（６）の実際のパワーとその選択されたパワーとの間の差異を特定することを特徴とする、請求項１３から１６のいずれか一項に記載の方法。
【請求項１８】
前記光学システム（２）の少なくとも前記走査手段（１０）が、前記製造位置と前記校正位置との間で、ガイド手段（１４）、特にガイドレールに亘って移動することを特徴とする、請求項１３から１７のいずれか一項に記載の方法。
【発明の詳細な説明】
【技術分野】
【０００１】
本発明は、特に選択的レーザ溶融のような付加製造技術の用途のための、３次元物品の積層製造のための装置に関する。この装置は、内部で製品が構築される構築チャンバ、及び構築チャンバの外側に伸長する光学システムを有する。光学システムは、エネルギービームを生成するためのビーム源を少なくとも有し、このビームを移動させるための対応する走査手段を備える。本明細書において、ビームが選択された位置に当たるようにビームを移動させる走査手段を制御する制御ユニットが提供される。構築チャンバの壁は、ビームが窓を通過して構築チャンバに入るようにビームに対して透明な閉鎖窓を特徴とする。
【０００２】
概して、物品を製造する際に、ビームを移動させるためのスキャナと組み合わせて、エネルギービーム、より詳細にはレーザビームを用いる製造プロセスにおいて、校正が必要である。これは通常、レーザビームのパワーの校正と物品が構築される平面におけるスキャナのＸＹ精度の校正との両方を必要とする。従来技術によれば、これらの校正は、装置中の構築チャンバ自体の中で行われるのがほとんどである。構築チャンバ中に１つ以上のセンサを設置し読み取ることにより、構築チャンバ中でレーザパワーが測定される。
【０００３】
スキャナの校正は、さまざまの方法で行うことができる。本明細書におけるある実施例は、物品を構築し、次いで、例えば座標測定機を用いて物品の実寸法を測定し、これらの寸法を規定の物品寸法と比較する。次いで、検出された差異を用いて、倍率、オフセット又は補正テーブルを特定し、装置中で次の物品を製造する際にこれらの差異を補正することができる。
【０００４】
いくつかの場合には、既知の寸法又は基準点を有する平面を、構築チャンバ中の既知の位置に配置し、この位置におけるレーザビームの入射点の実際の位置とレーザビームの選択された位置との間の差異を比較する。
【０００５】
スキャナの校正の異なる方法によれば、比較的高価なセンサを構築チャンバ中に配置し、レーザビームの入射点の特定の座標の位置を測定する。
【０００６】
従来技術に従った、これらの校正方法は、相当な時間がかかりかつ測定をオフラインで行わなければならないので、散発的にしか行うことができないという欠点がある。より詳細には、既存の校正方法を適用すると常に、構築チャンバを開いて製造された物品を構築チャンバから取り除く必要がある。言い換えれば、必然的に、プロセスチャンバを開くことなしに、物品の製造中にレーザパワー又はスキャナの中間校正（interim calibration）を行うことはできない。
【発明の概要】
【発明が解決しようとする課題】
【０００７】
本発明は、構築チャンバを開く必要なしに、レーザビームのパワーを容易かつ高速に測定及び校正し、かつ走査手段を校正することができる装置及び方法を提供することにより、これらの欠点をなくすことを目的とする。より詳細には、本発明は、構築チャンバを開く必要なしに、物品の製造中に中間校正を可能とすることを目的とする。したがって、構築チャンバを開く必要なしに、校正の完了後に、製造プロセスを続けることができる。これは、比較的大きい物品の製造において主に有利である。したがって、本発明は、走査手段又はビームの校正中に構築チャンバ中で低い又は高い圧力あるいは保護雰囲気を維持することを可能とする。
【課題を解決するための手段】
【０００８】
この目的のために、本発明による装置は、ビーム源及び／又は走査手段のための校正デバイスを備え、少なくとも走査手段は、ビームが窓を通過し構築チャンバに入る製造位置と、ビームが校正デバイスに当たる校正位置との間で、構築チャンバに関して移動可能である。
【０００９】
この目的のために、本発明の装置は、走査手段を製造位置と校正位置との間で移動させることができる走査手段のためのガイド手段を備える。
【００１０】
有利には、ビーム源及び走査手段は、同じ可動式ベースに取り付けられる。
【００１１】
本発明はまた、光学システムを用いた付加製造技術によって構築チャンバ中で３次元物品を製造するための方法、及びこの光学システムを校正する方法に関する。本明細書において、光学システムはコントローラと組み合わせて作用する。光学システムは、構築チャンバ中でこのビームの入射点を移動させるための対応する走査手段を用いて、エネルギービームを生成するビーム源を少なくとも有する。本発明の方法によれば、光学システムは製造位置に配置され、走査手段を用いることにより、ビームは構築チャンバ中へその壁にある窓を通過して入る。ビームを移動させる際に、構築チャンバ中の粉末を物品の連続的に接着された層に変えることにより物品を製造する。
【００１２】
この方法の１つの特徴は、光学システムを校正することであり、少なくとも走査手段が、製造位置から校正位置へ構築チャンバに関して移動され、光学システムの少なくとも１つのパラメータについて実効値が測定され、この測定された実効値がパラメータについての選択値と比較される。次に、走査手段が製造位置へ戻され、光学システムは、少なくとも１つのパラメータの実効値が対応するパラメータの選択値に一致するように調整され、物品が続いて製造される。
【００１３】
関心のある方法によれば、本発明に従って、光学システムが校正位置へ移動される際に、構築チャンバ中の製造圧力を維持しながら、物品の製造が一時的に停止される。次いで、光学システムが校正後に製造位置へ戻ると、物品の製造が続けられる。
【００１４】
本発明のさらなる詳細及び利点が、本発明に従った方法及び装置のいくつかの特定の実施形態の以下の記載に示される。この記載は、例としてのみ与えられるものであり、特許請求される保護範囲を制限するものではない；以下で用いられる参照番号は、添付の図面に関する。
【図面の簡単な説明】
【００１５】
【図１】光学システムが製造位置に配置された場合の、本発明に従った装置の構築チャンバ、光学システム及び校正デバイスの概略正面図
【図２】光学システムが校正位置にある場合の、図１からの装置の概略正面図
【発明を実施するための形態】
【００１６】
さまざまの図面において、同じ参照番号は同じ又は類似する部材に関する。
【００１７】
概して、本発明による装置は、付加製造技術の適用による３次元物品の製造のための機械に関する。この種の技術において、物品は、連続的に接着された層を製造することにより構築される。本明細書において、例えば、金属粉末が使用され、これは、物品の断面のためのパターンに従って移動するレーザビームにより溶融される。関心のある付加製造技術の１つの実施例は、選択的レーザ溶融であり、レーザビームが連続的な粉末層の上を移動し、物品の連続的な断面に対応するパターンに従ってこの粉末を溶融及び固化する。
【００１８】
物品を構築するために、金属粉末のような原材料を変化させるためのパターンに従ってレーザのようなエネルギービームを移動させる、付加製造プロセスにおいては、最小限の寸法公差で物品を製造するために、ビームの移動は精度が高いことが重要である。このために、不一致について装置を定期的にチェックし、所望であれば、装置において校正を行うことが重要である。
【００１９】
図１は、光学システム２及び校正デバイス３を備えた構築チャンバ１の概略図である。構築チャンバ１において、構築プラットフォーム５の上に構築表面７上で連続的な粉末層を塗布することにより物品４が製造される際に、かつ各粉末層の塗布の後に、最後に塗布された層にエネルギービーム６を当て、このビームを層上で移動させることにより物品４の層を作製する。ビーム６は、例えばレーザビームを含んでもよい。物品４の層の作製後、構築プラットフォーム５を、層の厚さに対応する距離に亘って下方に移動させることによって、物品の頂部が再び構築表面７中に伸長し、次の粉末層が塗布できる。
【００２０】
物品４の構築を開始する前に、矢印８により示されるように、構築チャンバ１から空気を抜き、構築チャンバを低圧下に置く、あるいは不活性雰囲気での物品４の製造を可能とする。不活性雰囲気又はガスを、矢印８”により示されるように、構築チャンバ中へ供給してもよい。
【００２１】
光学システムは、構築チャンバ１の外側に配置され、ビーム源９、特にレーザビーム、及び走査手段１０を備え、ビーム源９により生成されたビーム６が窓１１を通過して構築チャンバ１中へ入ることを可能とする。窓１１は、構築チャンバ１の壁にある開口を密閉シールし、ビーム６に対して透明である。
【００２２】
走査手段１０は、コンピュータを備える制御ユニット１２により制御される。したがって、制御ユニット１２は、走査手段１０を制御し、構築チャンバ１中で粉末層の上にビーム６を移動させる。これらの走査手段１０は、例えば、構築される物品の２次元断面に対応するパターンに従って、粉末層の上にビームの入射点を移動させるために、１つ以上の可動式電動ミラーを備えた１つ以上の検流計を含んでもよい。
【００２３】
図１に示されるように、光学システム２は、ビーム６が窓１１を通過して構築チャンバ１に入ることができる製造位置において、窓１１の反対側に配置される。
【００２４】
光学システム２の走査手段１０及びビーム源９は、製造位置と校正位置との間で構築チャンバ１に関して一緒に移動できる。図２は、校正位置における走査手段１０及びビーム源９を備えた光学システムを示し、走査手段１０を用いることにより、ビーム６を校正デバイス３に当てることができる。
【００２５】
好ましくは、ビーム源９及び走査手段１０は、互いに関して固定位置を有するように同じ可動式ベース１３に取り付けられる。可動式ベース１３は、その上をベース１３が製造位置と校正位置との間で移動できるガイド手段と組み合わせて作用する。本発明に従った、図面に示される装置の実施形態において、これらのガイド手段は、構築チャンバ１に関して固定されて取り付けられるガイドレール１４を備える。したがって、２つの位置の間で固有のかつ既知の経路に沿ってベース１３を移動させることができる。
【００２６】
本発明に従った、装置の代替的な実施形態において、走査手段１０のみが、製造位置と校正位置との間で構築チャンバ１に関して移動できるのに対し、ビーム源９は、構築チャンバに関して固定され場合によって調整可能な位置を有する。ビーム源９及び走査手段１０を互いに独立して移動可能とすることもできる。
【００２７】
校正デバイス３の第１の実施形態において、複数の固定されたセンサが取り付けられる。これらのセンサは、表面上でビーム６の入射点の位置を測定するための位置センサ１５を備える。
【００２８】
これらのセンサ１５は、例えば、ビーム６の入射点がいつセンサ上に位置するかの検出を可能とする。これは、センサ１５に当たるエネルギーの強度を測定することにより達成されるかもしれない。本明細書において、限界値が設定され、この限界値を超えると、ビームの入射点が既知の位置を有するセンサ１５上に位置することが特定される。
【００２９】
好ましくは、校正デバイス３は、２次元校正平面１６において異なる位置でビーム６の入射点の位置を測定するために、少なくとも２つ、好ましくは少なくとも３つのセンサ１５を備える。
【００３０】
センサ１５は、例えば、フォトダイオード又は他の種類のビーム検出器を備えてもよい。したがって、例えば、これらのセンサ１５は、ビームの入射点が校正平面１６上の所定の位置にいつ当たるかを検出する、あるいはこの平面１６上のビーム６の入射点の位置を測定する、１つ以上のカメラシステム１７から構成されてもよい。図面に示される実施形態は、校正平面１６に提供される位置センサ１５及びカメラ１８を含むセンサの両方を示す。
【００３１】
さらに、本発明の装置は、校正平面１６上の入射点の実際に測定された位置と制御ユニットにより選択又は設定された入射点の位置との間の差異を特定するための手段、特にコンピュータを備える。構築プロセスの精度を高めるために、選択された又は設定された位置が入射点の実際の位置に一致するように制御ユニット中のパラメータを調整する。
【００３２】
校正デバイスはまた、好ましくは、ビームにより実際に供給されるパワーを測定するためのパワーセンサを備える。この実際に測定されたパワーは、このビームについて設定されかつ所望のパワーと比較される。実際のパワーの値が設定された所望のパワーから外れる場合、調整手段を使用して、所望のパワーに一致するように供給された実際のパワーを変える。
【００３３】
概して、本発明に従った装置上に取り付けられた校正デバイス３は、ビーム源９又は走査手段１０を校正するために構築チャンバ１中で、従来技術に従って使用される任意の従来の校正システムを備えてもよい。
【００３４】
それにもかかわらず、好ましくは制御ユニット１２において複数のパラメータを調整することにより、走査手段１０又は光学システム２の他の構成要素の物理的位置を手動で調整することによって、校正を行うことももちろんできる。
【００３５】
本発明の主な利点は、光学システム２又はその構成要素の校正を行うために構築チャンバを開ける必要がもはやないということである。したがって、比較的大きい物品についての構築プロセス中、構築チャンバ１を開く必要なしに通常のインターバルで新しい校正を行うことができる。
【００３６】
したがって、構築チャンバ１中で製造圧力を維持しながら、物品４の製造を一時的に停止し、光学システム２を校正位置へ移動させる。次に、光学システム２を校正し、製造位置へ戻して物品４の製造を続ける。
【００３７】
本発明に従って、走査手段１０及び／又はビーム源９の校正位置において、光学システム２の少なくとも１つのパラメータの実効値を測定し、当該パラメータについての選択又は設定された数値と比較する。次に、走査手段１０を製造位置に戻し、ここで、問題のパラメータの実効値がこのパラメータの選択又は設定された数値に一致するように光学システムが調整される。
【００３８】
したがって、校正位置において、パラメータは例えば、校正平面１６上のビーム６の入射点の位置と一致し、この位置は制御ユニット１２を用いて設定される。この場合、校正デバイス３を用いて測定されたこの位置についての数値は、当該位置に対応するパラメータの実効値であり、次いでビーム６のこの実際の位置と設定された位置との間の差異が測定される。
【００３９】
同様に、例えば、上記のパラメータはビーム６のパワーであり、このパラメータの実際に測定された値は、ビーム６の実際のパワーとその設定又は選択されたパワーとの間の差異を特定する。
【００４０】
さらに、上記のパラメータを、ビーム６の焦点直径、強度又は焦点距離に関係させることも可能であり、これらのパラメータを測定するために対応するセンサが提供される。概して、校正デバイス３は好ましくは、適用される付加製造技術のフレームワーク内で、ビームの質に関する複数の特性パラメータの測定を可能とする。
【００４１】
図面において、上記の校正平面１６のレベルは、構築表面７のレベルよりも高い。これによって、校正平面１６が構築平面７よりも小さい表面積を有することができるという利点が提供されるが、これには通常、校正を行う際に適用される倍率が必要とされる。校正平面１６のレベルは、構築平面７のレベルに一致してもよい。
【００４２】
本発明に従った、装置及び方法の単純な実施形態によれば、校正平面１６は、校正デバイス３中に配置される、光感受性フィルムのようなフィルムから構成される。本明細書において、走査手段１０が校正位置に移動されると、ビーム６は、オペレータによって選択又は設定される位置に従って走査手段によってこのフィルム上を移動される。次いで、フィルムは手動によりオフラインで測定される。したがって、制御ユニットは、自動的なフィードバックを受けない：その代わりに、オペレータは、測定の結果を制御ユニットに手動で入力しなければならない。
【００４３】
本発明は、もちろん、上記で説明されかつ添付の図面に提案される装置又は方法の実施形態に限定されない。したがって、本発明のフレームワークの範囲内で、異なるバリエーションを検討してもよい。
【００４４】
上記の説明は、ビーム源９のための走査手段１０のみを備える光学システム２を特定するが、この光学システム２について、異なるビームのための複数の走査手段１０を取り付けることももちろん可能である。したがって、光学システム２は、複数のビーム源９を備えてもよい。
【図１】
2018202486.tif 000002
【図２】
2018202486.tif 000003
【外国語明細書】
2018202486000001.pdf